(57)【要約】  追記型光ディスク並びに追記型光ディスクの管理情報を記録するための方法及び装置を提供する。この方法は、少なくとも１つの記録単位にアドレスが増加する方向にデータを順次記録することと、データの順次記録を終了するとき、最終記録単位の残りの未記録部分をパディングデータでパディングすることと、少なくとも１つの記録単位がパディングされた部分を識別するパディング識別情報を記録媒体上に記録することとを含む。
2007505432.tif 000002
【特許請求の範囲】
【請求項１】
少なくとも１つの基本記録単位から構成される順次記録単位を含む記録媒体上に管理情報を記録するための方法であって、前記少なくとも１つの基本記録単位は、複数のセクターから構成され、
前記順次記録単位の書込み可能位置からアドレスの増加する方向にユーザデータを順次記録することと、
最終基本記録単位の最終記録位置が最終基本記録単位の境界と一致しないとき、最終基本記録単位の残りの未記録セクターをパディングデータでパディングすることと、
前記少なくとも１つの基本記録単位のどの部分がパディングされたかを識別するパディング識別情報を記録することであって、前記パディング識別情報は複数のパディングフラグから構成され、前記パディングフラグのそれぞれはそれぞれのセクターと関係することと
を備えることを特徴とする方法。
【請求項２】
前記順次記録単位がクローズされるとき、オープン順次記録単位情報から前記順次記録単位識別を除去することをさらに備える請求項１に記載の方法。
【請求項３】
新たな書込み可能位置から１以上の基本記録単位をパディングデータでパディングすることと、
前記１以上の基本記録単位がパディングされたことを示すためにパディング識別情報を記録することと
をさらに備えることを特徴とする請求項２に記載の方法。
【請求項４】
前記順次記録単位の書込み可能位置は、新たな書込み可能位置に移動され、前記新たな書込み可能位置は利用可能な隣の基本記録単位の最初のセクターであることを特徴とする請求項１に記載の方法。
【請求項５】
少なくとも１つの記録単位を含む記録媒体上に管理情報を記録する方法であって、
前記少なくとも１つの記録単位にアドレスの増加する方向にデータを順次記録することと、
前記データの順次記録を終了するときに、最終記録単位の残りの未記録部分をパディングデータでパディングすることと、
前記少なくとも１つの記録単位のどの部分がパディングされたかを識別するパディング識別情報を前記記録媒体上に記録することと
を備えることを特徴とする方法。
【請求項６】
それぞれの記録単位はクラスタであり、前記パディングすることにおいて、最終クラスタの全ての残りの未記録セクターは前記パディングデータでパディングされることを特徴とする請求項５に記載の方法。
【請求項７】
前記記録することにおいて、前記パディング識別情報は、前記クラスタのセクターにそれぞれ割り当てられた複数のパディングフラグを含み、前記パディングフラグは、前記割り当てられたセクターがパディングされたか否かによってある値に設定されることを特徴とする請求項６に記載の方法。
【請求項８】
前記パディングすることにおいて、前記パディングは、一度に１つのセクターに対して行われることを特徴とする請求項６に記載の方法。
【請求項９】
それぞれのクラスタは、３２のセクターから構成され、前記クラスタの３２のセクターにそれぞれ対応する３２のパディングフラグが存在することを特徴とする請求項７に記載の方法。
【請求項１０】
前記パディング識別情報は、前記記録媒体の管理領域に記録されることを特徴とする請求項５に記載の方法。
【請求項１１】
前記パディングすることにおいて、前記パディングデータは、ゼロであることを特徴とする請求項５に記載の方法。
【請求項１２】
少なくとも１つの順次記録範囲（ＳＲＲ）を含む記録媒体上に管理情報を記録するための方法であって、それぞれのＳＲＲは少なくとも１つのクラスタから構成され、
ユーザデータをＳＲＲに記録することと、
前記ユーザデータの記録を終了するとき、前記ＳＲＲの最終クラスタの残りの未記録領域をパディングデータでパディングすることと
を備えることを特徴とする方法。
【請求項１３】
前記パディングすることにおいて、前記パディングデータは、ゼロであることを特徴とする請求項１２に記載の方法。
【請求項１４】
前記パディングすることにおいて、前記最終クラスタの全ての残りの未記録セクターは、前記パディングデータでパディングされることを特徴とする請求項１２に記載の方法。
【請求項１５】
記録媒体であって、
少なくとも１つの基本記録単位から構成された順次記録単位であって、前記少なくとも１つの基本記録単位は複数のセクターから構成される順次記録単位と、
前記順次記録単位の書込み可能位置からアドレスの増加する方向に順次記録されるユーザデータと、
最終基本記録単位の最終記録位置が前記最終基本記録単位の境界と一致しないとき、前記最終基本記録単位の残りの未記録セクターに記録されるパディングデータと、
前記少なくとも１つの基本記録単位のどの部分がパディングされたかを識別するパディング識別情報であって、前記パディング識別情報は複数のパディングフラグから構成され、前記パディングフラグのそれぞれは前記セクターのそれぞれと関係するパディング識別情報と
を備えたことを特徴とする記録媒体。
【請求項１６】
前記新たな書込み可能位置から１以上の基本記録単位に記録されたパディングデータと、
前記１以上の基本記録単位がパディングされていることを示すパディング識別情報と
をさらに備えたことを特徴とする請求項１５に記載の記録媒体。
【請求項１７】
前記順次記録単位の前記書込み可能位置は、新たな書込み可能位置に移動され、前記新たな書込み可能位置は、利用可能な隣の基本記録単位の最初のセクターであることを特徴とする請求項１５に記載の記録媒体。
【請求項１８】
前記記録媒体であって、
少なくとも１つの記録単位と、
前記少なくとも１つの記録単位にアドレスの増加する方向に順次記録されたデータと、
前記データの順次記録を終了するとき、最終記録単位の残りの未記録部分に記録されたパディングデータと、
前記記録媒体上に記録され、前記少なくとも１つの記録単位のどの部分がパディングされかを示すパディング識別情報と
を備えたことを特徴とする記録媒体。
【請求項１９】
それぞれの記録単位はクラスタであり、最終クラスタの全ての残りの未記録セクターは前記パディングデータでパディングされることを特徴とする請求項１８に記載の記録媒体。
【請求項２０】
前記パディング識別情報は、前記クラスタのセクターにそれぞれ割り当てられた複数のパディングフラグを含み、前記パディングフラグは、前記割り当てられたセクターがパディングされているか否かによってある値に設定されることを特徴とする請求項１９に記載の記録媒体。
【請求項２１】
前記パディングは、一度に１つのセクターに対して行われることを特徴とする請求項１９に記載の記録媒体。
【請求項２２】
それぞれのクラスタは、３２のセクターから構成され、前記クラスタの３２のセクターにそれぞれ対応する３２のパディングフラグが存在することを特徴とする請求項１９に記載の記録媒体。
【請求項２３】
前記パディング識別情報は、前記記録媒体の管理領域に記録されることを特徴とする請求項１８に記載の記録媒体。
【請求項２４】
前記パディングデータは、ゼロであることを特徴とする請求項１８に記載の記録媒体。
【請求項２５】
記録媒体であって、
それぞれが少なくとも１つのクラスタから構成された少なくとも１つの順次記録範囲（ＳＲＲ）と、
前記少なくとも１つのＳＲＲのうち特定のＳＲＲに記録されたユーザデータと、
前記ユーザデータの記録を終了するとき、前記特定のＳＲＲの最終クラスタの残りの未記録領域に記録されたパディングデータと
を備えたことを特徴とする記録媒体。
【請求項２６】
前記パディングデータは、ゼロであることを特徴とする請求項２５に記載の記録媒体。
【請求項２７】
前記最終クラスタの全ての残りの未記録セクターは、前記パディングデータでパディングされたことを特徴とする請求項２５に記載の記録媒体。
【請求項２８】
少なくとも１つの基本記録単位から構成された順次記録単位を含む記録媒体上に管理情報を記録するための装置であって、前記少なくとも１つの基本記録単位は複数のセクターから構成され、
順次記録単位の書込み可能位置からアドレスの増加する方向にユーザデータを順次記録し、最終基本記録単位の最終記録位置が前記最終基本記録単位の境界と一致しないとき、前記最終基本記録単位の残りの未記録セクターをパディングデータでパディングし、前記少なくとも１つの基本記録単位のどの部分がパディングされたかを識別するパディング識別情報であって、前記パディング識別情報は複数のパディングフラグから構成され、前記パディングフラグのそれぞれはセクターのそれぞれと関係するパディング識別情報を記録する記録／再生部を備えたことを特徴とする記録装置。
【請求項２９】
前記順次記録単位の前記書込み可能位置は、新たな書込み可能位置に移動され、前記新たな書込み可能位置は、利用可能な隣の基本記録単位の最初のセクターであることを特徴とする請求項２８に記載の装置。
【請求項３０】
少なくとも１つの記録単位を含む記録媒体上に管理情報を記録するための装置であって、
前記少なくとも１つの記録単位にアドレスの増加する方向にデータを順次記録し、前記データの順次記録を終了するとき、最終記録単位の残りの未記録部分をパディングデータでパディングし、前記少なくとも１つの記録単位のどの部分がパディングされたかを識別するパディング識別情報を前記記録媒体上に記録する記録／再生部を備えたことを特徴とする装置。
【請求項３１】
それぞれが少なくとも１つのクラスタから構成される少なくとも１つの順次記録範囲（ＳＲＲ）を含む記録媒体上に管理情報を記録するための装置であって、
ユーザデータをＳＲＲに記録し、前記ユーザデータの記録を終了するとき、ＳＲＲの最終クラスタの残りの未記録領域をパディングデータでパディングする記録／再生部を備えたことを特徴とする装置。
【発明の詳細な説明】
【技術分野】
【０００１】
本発明は、追記型（ｗｒｉｔｅ−ｏｎｃｅ）光ディスク、追記型光ディスクの管理情報を記録するための方法、並びに追記型光ディスクを記録し再生するための方法及び装置に関する。
【背景技術】
【０００２】
大容量データが記録可能な光ディスクが、光記録媒体として広く使用されている。中でも、新たな高密度光記録媒体（ＨＤ−ＤＶＤ）、例えば、ブルーレイディスクは、近年、高解像度のビデオデータ及び高品質のオーディオデータを長時間記録し、保存するために開発されてきた。
【０００３】
ブルーレイディスクは、次世代のＨＤ−ＤＶＤ技術及び次世代の光記録ソリューションであり、既存のＤＶＤよりも多くのデータを格納できる優れた能力を有している。近年、ＨＤ−ＤＶＤの国際標準の技術的な仕様が確立された。これと関連して、追記型ブルーレイディスク（ＢＤ−ＷＯ）の種々の標準が、書き換え可能な（ｒｅｗｒｉｔａｂｌｅ）ブルーレイディスク（ＢＤ−ＲＥ）の標準に続いて準備されてきた。
【０００４】
追記型ブルーレイディスク（ＢＤ−ＷＯ）の標準の中で、管理情報を記録するための方法が論議されてきた。この方法は、追記型光ディスクの特徴の１つであるディスクの記録状態を示す情報の記録方法を伴う。ディスクの記録状態を示す情報により、ホストまたはユーザは追記型光ディスク上の記録可能な領域を容易に見つけることができるようになる。既存の追記型光ディスクにおいて、この情報は様々に名付けられている。例えば、ＣＤシリーズの場合には、この情報はトラック情報として名付けられ、ＤＶＤシリーズの場合には、この情報はＲＺｏｎｅまたはフラグメントと名付けられている。
【０００５】
このため、高密度の光ディスクの記録状態に対応する管理情報を効率よく記録する方法に対する要求が高まりつつある。そして、この方法には、相互互換性を確保するために標準化された情報が提供されなければならない。また、ディスク上に管理情報を記録する方法に対する要求があり、この方法は、欠陥管理を行う追記型高密度光ディスクはもとより、ブルーレイディスクにも適用可能である。
【発明の開示】
【発明が解決しようとする課題】
【０００６】
そこで、本発明は、関連技術の限界及び欠点による１つ以上の問題を実質的に防止する光ディスク並びにディスク管理情報を記録するための方法及び装置、特に、ディスク記録状態情報を効率よく管理するための方法及び装置を対象とする。
【０００７】
本発明の１つの目的は、順次記録範囲（ＳＲＲ：Ｓｅｑｕｅｎｔｉａｌ  Ｒｅｃｏｒｄｉｎｇ  Ｒａｎｇｅｓ）のタイプを定義し、ＳＲＲ情報（ＳＲＲＩ）にＳＲＲに関する情報を記録するための方法及び装置を提供することである。
【０００８】
本発明の他の目的は、物理的な欠陥管理が行われる追記型光ディスクに適用することができるディスク記録状態情報としてＳＲＲＩを記録するための方法及び装置を提供し、追記型光ディスクから損傷を受けたＳＲＲＩを回復するための方法及び装置を提供することである。
【課題を解決するための手段】
【０００９】
本発明のさらなる利点、目的及び特徴は、後述する詳細な説明に部分的に提示され、部分的には、この分野における通常の技術を有する者による以下の検討から明らかになるか、あるいは、本発明の実施から習得することができる。
【００１０】
本発明の目的及び他の利点は、記載の説明及び請求の範囲だけでなく、添付の図面に特に指摘された構造によって実現され、達成することができる。
【００１１】
本発明の上記の一般的な説明および下記の詳細な説明はともに例示であり、説明のためのものであり、請求される本発明のさらなる説明を提供するためのものであることが理解されよう。
【００１２】
本発明のさらなる理解を提供するために含められ、本願に組み込まれ、本願の一部を構成する添付の図面は、本発明の原理を説明するために提供された説明と共に本発明の実施形態を例示している。
【発明を実施するための最良の形態】
【００１３】
以下、本発明の好適な実施形態を詳細に参照することにする。その例は、添付の図面に示している。同じ参照番号は、図面全体にわたって可能な限り同一または類似の部分を指すために使用されている。
【００１４】
説明の便宜のために、追記型ブルーレイディスク（ＢＤ−ＷＯ）を例として説明する。本明細書中の大部分の用語は、広く知られた一般の語句であるか、発明者によって選択され使用される語句がいくつかあり、その意味は対応する説明において詳述されるであろう。本発明は、語句の単純な意味に基づくのではなく、その意味が説明されたならば、具体的に説明された意味に基づいて理解さるべきである。
【００１５】
複数の領域がディスク上に形成され、その領域が順次記録されるとき、これらの領域のそれぞれは、ＳＲＲ（Ｓｅｑｕｅｎｔｉａｌ  Ｒｅｃｏｒｄｉｎｇ  Ｒａｎｇｅｓ）と称される。ＳＲＲは、ユーザデータを順次記録するための記録単位（順次記録単位）である。ＳＲＲは、１つ以上のクラスタのサイズを有する。「ＳＲＲ情報」（ＳＲＲＩ）は、ディスクの記録状態を識別する情報のための名称である。ＳＲＲＩは、ディスクの順次記録モードに適用され、１つ以上のＳＲＲに関係する。「パディング」は、ユーザの要求により、または記録／再生装置（図１２）の制御下でＳＲＲの未記録領域をダミーデータまたはゼロ値で埋めることを意味する。「セッション」は、１つ以上の連続ＳＲＲにより構成され、再生についてのみ仕様に対する互換性のためにＳＲＲを識別する。
【００１６】
図１は、ＢＤ−ＷＯなどの追記型光ディスクの構造及び本発明によるディスク管理情報を記録する方法を示している。図１に示すディスクは、例として、単一の記録層を有している。しかし、本発明はこれに限定されるものではなく、デュアルまたは多数の記録層を有するディスクに適用可能である。
【００１７】
図１を参照すると、ディスクは、記録層にリードイン領域、データ領域及びリードアウト領域を、全て記録層に含んでいる。リードイン及びリードアウト領域は、同じ欠陥管理情報を繰り返し格納するための複数のディスク（または欠陥）管理領域（ＤＭＡ１−ＤＭＡ４）を有する。データ領域において、欠陥のある領域を置き換えるための内周スペア領域ＩＳＡ０及び／または外周スペア領域ＯＳＡ０が提供される。
【００１８】
書き換え可能な光ディスクは、大きなＤＭＡを有していないか、またはそれを必要としないことが知られている。というのは、ディスクが限られたサイズのＤＭＡを有しているとしても、そのＤＭＡは、繰り返し書き込まれ、消去可能であるためである。これは、ＢＤ−ＷＯなどの追記型光ディスクの場合と異なる。追記型光ディスクは、一旦記録された領域に再記録することができないので、追記型光ディスクは、大きな管理領域を必要とし、また、それを有している。管理情報を一層効率的に格納するために、追記型光ディスクでは、管理情報はＴＤＭＡ（ｔｅｍｐｏｒａｒｙ  ｄｉｓｃ  ｍａｎａｇｅｍｅｎｔ  ａｒｅａ）に一時的に格納される。ディスクが完了／クローズされようとするとき、最終／最新のＴＤＭＡに格納された管理情報は、より永久的な保存のためにＤＭＡに移転される。
【００１９】
図１に示すように、ディスクは、２つのＴＤＭＡ（ＴＤＭＡ０及びＴＤＭＡ１）を含む。ＴＤＭＡ０はリードイン領域に割り当てられ、固定された不変のサイズを有する。ＴＤＭＡ１は、外周スペア領域ＯＳＡ０に割り当てられ、スペア領域のサイズに応じて可変サイズを有する。ＴＤＭＡ１のサイズＰは、例えば、Ｐ＝（Ｎ＊２５６）／４クラスタであり、ここで、Ｎは、正の整数であり、これは、全外周スペア領域ＯＳＡ０のサイズの約１／４である。
【００２０】
ＴＤＭＡ０及びＴＤＭＡ１のそれぞれにおいて、ＴＤＦＬ（ｔｅｍｐｏｒａｒｙ  ｄｅｆｅｃｔ  ｌｉｓｔ）情報及びＴＤＤＳ（ｔｅｍｐｏｒａｒｙ  ｄｉｓｃ  ｄｅｆｉｎｉｔｉｏｎ  ｓｔｒｕｃｔｕｒｅ）情報はともに（ＴＤＦＬ＋ＴＤＤＳ）、１つの記録単位（例えば、ＢＤ−ＷＯの場合に１つのクラスタ）に記録することができ、あるいはＳＲＲＩ及びＴＤＤＳ情報はともに（ＳＲＲＩ＋ＴＤＤＳ）、図示したように１つの記録単位に記録することができる。ＳＲＲＩは、順次記録モードが使用されるときに記録されるのに対し、ＳＢＭ（ｓｐａｃｅ  ｂｉｔ  ｍａｐ）は、ランダム記録モードが使用されるときに使用される。
【００２１】
各更新時において、（ＴＤＦＬ＋ＴＤＤＳ）または（ＳＲＲＩ＋ＴＤＤＳ）は、１つのクラスタのサイズのＴＤＭＡに記録される。図１の例では、ＴＤＦＬ及びＴＤＤＳはＴＤＭＡ０の１つのクラスタに記録され、ＳＲＲＩ及びＴＤＤＳはＴＤＭＡ０の次のクラスタに記録され、ＳＲＲＩ及びＴＤＤＳはＴＤＭＡ０の次のクラスタに記録され、以下同様である。
【００２２】
欠陥領域がデータ領域内に生じる場合、これをスペア領域で置き替えるプロセスが行われる。ＴＤＦＬは、このプロセスを欠陥一覧として管理する情報である。単一層ディスクの場合に、ＴＤＦＬは欠陥一覧のサイズに従って１クラスタから４クラスタのサイズで記録される。ＳＲＲＩは、ディスクの特定の領域が記録されているか、記録されていないかを示す情報である。ＳＲＲＩは、ディスクが連続記録タイプであるときに広く使用することができる。すなわち、ＳＲＲＩは、ディスクが順次または増分記録モードにおいて記録される場合に有効に適用可能である。また、ＴＤＤＳ情報は、一般に管理領域の１つのクラスタ内の３２のセクターのうち最後のセクターに記録される。ディスクの一般管理及び欠陥管理のための情報は、ＴＤＤＳ情報の一部として記録され、ＴＤＤＳ情報は、管理情報がＴＤＭＡ内で更新されるときに一般に常に記録される。
【００２３】
本発明は、ＢＤ−ＷＯなどの新たな高密度光ディスクに適用されるディスク記録状態情報を生成し、記録する方法に関する。本発明において、ＳＲＲＩは、ディスク記録状態情報として使用され、各種のタイプのＳＲＲが図２Ａから図３Ｅに示すように定義される。ＳＲＲＩの詳細な構造を図５Ａから図６Ｃを参照して説明する。本発明はまた、ディスク上に形成された異なるタイプのＳＲＲを定義および区別し、これらを用いて光ディスクを記録および再生する。ＳＲＲのタイプを新たに定義し、区別されるＳＲＲのタイプを識別する情報を作成する方法について詳述する。
【００２４】
図２Ａないし図２Ｄは、本発明による追記型光ディスク（例えば、ＢＤ−ＷＯ）のための異なるタイプのオープンＳＲＲを示す。オープンＳＲＲは、データを記録できるＳＲＲである。ＳＲＲが記録可能であれば、ＳＲＲは「次の書込み可能なアドレス」（ＮＷＡ）を有する。このため、オープンＳＲＲは、ＮＷＡを有するＳＲＲである。ＮＷＡを有しておらず、記録可能でないＳＲＲは、クローズＳＲＲと呼ばれる。クローズＳＲＲは、図３Ａから図３Ｅを参照して説明する。
【００２５】
より具体的には、図２Ａは、オープンＳＲＲの１つのタイプであるインビジブルＳＲＲを示す。インビジブルＳＲＲは、初期のブランクディスクまたはディスクの最外セクターに一般に常に形成され、未記録領域を意味する。換言すると、インビジブルＳＲＲの開始アドレスだけが定義され、インビジブルＳＲＲの終了アドレスは、ユーザデータの終わりを意味する。データがまだ記録されていないため、最終記録領域（ＬＲＡ）はゼロ値を有し、ＮＷＡは、インビジブルＳＲＲの開始アドレスと同じ値を有する。
【００２６】
図２Ｂは、オープンＳＲＲの他のタイプであるインコンプリートＳＲＲを示している。インコンプリートＳＲＲは、図２ＡのインビジブルＳＲＲに部分的に記録されたＳＲＲである。換言すると、インコンプリートＳＲＲの開始アドレスだけが定義され、インコンプリートＳＲＲの終了アドレスは、ユーザデータの終わりを意味する。しかしながら、データがインコンプリートＳＲＲに部分的に記録されているため、インコンプリートＳＲＲのＬＲＡは、通常のユーザデータが記録される最終アドレスを表し、ＮＷＡは、インコンプリートＳＲＲのＬＲＡから次のアドレスである。すなわち、ＮＷＡは、関連ＳＲＲにおける次の利用可能な未記録クラスタの最初のＰＳＮである。
【００２７】
オープンＳＲＲにおいて、ＳＲＲが部分的に記録される場合、ＬＲＡとＮＷＡとの関係について、図２Ｂに示すパディングの関連で詳述する。図２Ｂの小さな点線ボックス部分の拡大図が図面の下部に提供されている。
【００２８】
換言すると、ＬＲＡは、ユーザデータが実際に記録される領域を意味する。ユーザデータが３２のセクターからなる１つのクラスタの幾つかのセクターに記録される場合、ユーザデータが記録される対応するセクターの物理セクター番号（ＰＳＮ）は、図２Ｂに示すように、ＳＲＲのＬＲＡである。しかしながら、ブルーレイディスクの基本記録単位はクラスタであるため、追加的に記録可能な領域を表すＮＷＡは、次のクラスタのヘッダセクターのＰＳＮとなる。このため、データがクラスタの幾つかのセクター上に記録され、記録が完了（すなわち、順次記録が終了）すると、残りの未記録セクターは本発明に従ってダミーデータでパディングされる。例えば、クラスタの残りの未記録セクターは、図示したように、ゼロでパディングされる。全てのユーザデータがクラスタの最終セクターにも記録される場合、上述したパディングが必要でないことは明らかである。
【００２９】
図２Ｃは、オープンＳＲＲのさらに他のタイプであるエンプティーＳＲＲを示している。エンプティーＳＲＲは、ディスクの最外セクションには一般に形成されず、図２Ａ及び図２ＢのインビジブルＳＲＲおよびインコンプリートＳＲＲとは対照的にデータを記録するために中央セクションに一般に形成される。換言すると、ホストまたはユーザがＳＲＲを作るが、ＳＲＲにまだデータを記録していない場合である。エンプティーＳＲＲが開始アドレス及び終了アドレスを有するが、まだ記録されていないため、エンプティーＳＲＲのＬＲＡは「ゼロ」値を有し、ＮＷＡはエンプティーＳＲＲの開始アドレスと同じ値を有する。
【００３０】
図２Ｄは、オープンＳＲＲのさらに他のタイプである部分記録ＳＲＲを示す。部分記録ＳＲＲは、図２ＣのエンプティーＳＲＲに部分的に記録されたＳＲＲである。このため、部分記録ＳＲＲは、開始アドレス及び終了アドレスを有する。データが部分記録ＳＲＲに部分的に記録されるため、部分記録ＳＲＲのＬＲＡは、通常データが記録される最終アドレスを表し、ＮＷＡはＬＲＡからの次の書込み可能なアドレスである。
【００３１】
図２ＤのオープンＳＲＲにおいて、ＳＲＲが部分的に記録されると、図２Ｄの小さな点線部分の拡大図は、パディングの関連でＬＲＡとＮＷＡとの関係を示す。この特徴に関する詳細な説明は、図２Ｂの説明と同じであるため省略する。
【００３２】
このため、図２Ａから図２Ｄを参照して、本発明のオープンＳＲＲは、未記録オープンＳＲＲ（図２Ａ及び図２Ｃ）及び部分記録オープンＳＲＲ（図２Ｂ及び図２Ｄ）に分類される。部分記録オープンＳＲＲ（図２Ｂ及び図２Ｄ）は、ＬＲＡの後にパディングされたオープンＳＲＲ及びパディングされていないオープンＳＲＲに分類することができる。
【００３３】
本発明により、オープンＳＲＲの数が大きい場合に管理の困難さのために任意の所与の時間におけるオープンＳＲＲの総数は、追記型光ディスクにおいて予め決められた数に限定される。例えば、ディスク上のオープンＳＲＲの総数は、本発明のＢＤ−ＷＯにおいて、最大１６とすることができる。位置に関する情報及びオープンＳＲＲの数は、ＳＲＲＩのヘッダにある「オープンＳＲＲの一覧」フィールド及び「オープンＳＲＲの数」フィールドを用いて参照することができる。ＳＲＲＩヘッダにある「オープンＳＲＲの一覧」フィールド及び「オープンＳＲＲの数」フィールドは、ＳＲＲＩ構造を図５から図６Ｃを参照して論考するときに説明する。
【００３４】
図３Ａから図３Ｅは、本発明によるＢＤ−ＷＯなどの追記型光ディスクのための異なるタイプのクローズＳＲＲを示している。クローズＳＲＲは、データ（例えば、ユーザデータ）が記録できないＳＲＲである。ＳＲＲが記録可能ではなければ、ＳＲＲはＮＷＡを有しない。クローズＳＲＲは、ＳＲＲが完全に記録されるという理由で作成されてもよい。また、クローズＳＲＲは、記録可能な領域がＳＲＲに残っていても、ユーザまたはホストがＳＲＲをクローズコマンドによりクローズするという理由で作成されてもよい。
【００３５】
特に、図３Ａは、クローズＳＲＲの１つのタイプであるエンプティーＳＲＲを示している。エンプティーＳＲＲは、オープンエンプティーＳＲＲ（図２Ｃ）であり、これは任意のユーザデータをそこへ記録することなくクローズコマンドによりクローズされる。このため、図３Ａは、クローズエンプティーＳＲＲを示し、図２Ｃは、オープンエンプティーＳＲＲを示している。
【００３６】
図３Ｂは、クローズＳＲＲの他のタイプである部分記録ＳＲＲを示している。図３Ｂの部分記録ＳＲＲは、図２Ｄのオープン部分記録ＳＲＲであり、これは任意の追加のユーザデータをそこへ記録することなくクローズコマンドによりクローズされる。このため、図３Ｂは、クローズ部分記録ＳＲＲを示し、図２Ｄは、オープン部分記録ＳＲＲを示している。
【００３７】
図３Ｃは、クローズＳＲＲのさらに他のタイプであるコンプリートＳＲＲを示している。コンプリートＳＲＲはユーザデータがＳＲＲに完全に記録されるか、ダミーデータで完全にパディングされたＳＲＲである。コンプリートＳＲＲは、クローズＳＲＲのうちにのみ存在する。
【００３８】
図３Ｄは、クローズＳＲＲのさらに他のタイプであるクローズ部分記録ＳＲＲを示している。図３Ｄの部分記録ＳＲＲは、図２Ｄのオープン部分記録ＳＲＲをクローズするとき、そのＬＲＡの後の記録可能な領域においてダミーデータでパディングされたＳＲＲである。ここでは、そのＬＲＡまたはＮＷＡの後のＳＲＲの全ての記録可能な領域または一部の記録可能な領域（例えば、１以上のクラスタ）は、パディングデータとして用いられるダミーデータでパディングすることができる。また、一部の領域がパディングされるとき、ダミーデータを記録する代わりに、ＡＳＣＩＩ文字などの特定の文字コードをパディングデータとして記録してＳＲＲがクローズされることを表しても良い。この場合、パディングデータとして用いられる特定の文字コードは、対応するＳＲＲがクローズされることを表す「ＣＬＳＤ」などの文字とすることができる。
【００３９】
図３Ｅは、クローズＳＲＲのさらに他のタイプであるエンプティーＳＲＲを示している。図３ＥのエンプティーＳＲＲは、そのＬＲＡの後の記録可能な領域において特定のダミーデータでパディングされ、図２ＣのオープンエンプティーＳＲＲをクローズするときにクローズされるＳＲＲである。ここで、そのＬＲＡまたはＮＷＡの後のＳＲＲの全ての記録可能な領域または一部の記録可能な領域（例えば、１以上のクラスタ）は、パディングデータとして用いられるダミーデータでパディングすることができる。また、一部の領域がパディングされるとき、ダミーデータを記録する代わりに、ＡＳＣＩＩ文字などの特定の文字コードをパディングデータとして記録してＳＲＲがクローズされることを表しても良い。この場合、パディングデータとして用いられる特定の文字コードは、対応するＳＲＲがクローズされることを表す「ＣＬＳＤ」などの文字とすることができる。
【００４０】
図３Ｄ及び図３ＥのクローズＳＲＲが終了アドレスまでダミーデータで完全にパディングされると、図３Ｄ及び図３ＥのクローズＳＲＲは、図３Ｃを参照して上述したコンプリートＳＲＲと同じＳＲＲである。換言すると、本発明において、クローズＳＲＲのタイプを決める際に、クローズＳＲＲは、オープンＳＲＲがクローズコマンドによりクローズＳＲＲに変更されるとき、ＳＲＲの未記録の残りの領域をパディングし、クローズする場合（図３Ｄ及び図３Ｅ）からパディングなしでＳＲＲの未記録の残りの領域をクローズする場合（図３Ａ及び図３Ｂ）を区分するよう定義される。
【００４１】
また、本発明において、ＳＲＲをクローズするとき、パディングすることなくＳＲＲをクローズすること、または特定のパディングデータでパディングした後にＳＲＲをクローズすることが可能である。ブルーレイディスクは、未記録領域がパディングされると、ＳＲＲを通して同じファミリの再生のみのディスクと互換可能であると考えられる。記録／再生装置は（例えば、図１４に示すように）、記録／再生装置の設計の自由度をさらに確保するためにディスクを選択的にパディングすることができる。ディスクをパディングするとき、記録／再生装置の記録再生部（例えば、図１４の構成要素１０）は、特定データを自動的に記録することができ、それで構成要素１０が制御部から特定のデータを受信し、パディングの場合に時間の問題を解消することができる。
【００４２】
図４Ａ及び図４Ｂは、本発明の一実施形態により追記型光ディスクのクローズ記録ＳＲＲ及びオープンＳＲＲのそれぞれにダミーデータをパディングするときのパディング識別情報の一例を示している。パディングは、オープンＳＲＲをクローズするとき、オープンＳＲＲに行われても良い。しかし、パディングは、ＳＲＲをクローズする必要がないコマンドに応答してオープンＳＲＲに対して行われても良い（例えば、順次記録を終了するためにパディングが行われる図２Ｂ及び図２Ｄの場合）。すなわち、図４Ａは、図２Ｂまたは図２Ｄと関連し、図４Ｂは、図３Ｄまたは図３Ｅと関連する。
【００４３】
より具体的には、図４Ａは、オープンＳＲＲの場合に、実際のユーザデータが１つのクラスタの一部の領域のみに記録され、そのクラスタの残りの領域は、ダミーデータでパディングされる場合を示している。図４Ａは、実際のユーザデータが記録されるセクターを、ダミーデータでパディングされるセクターから区別するためのパディング識別情報「Ｐａｄｄｉｎｇ＿ｆｌａｇ」が対応するクラスタ中の制御フラグとして設定されることを示している。ＳＲＲの各クラスタの３２のセクターの１つに対応する３２のＰａｄｄｉｎｇ＿ｆｌａｇが存在する。
【００４４】
図４Ａに示すように、この例において、セクター０−セクター２９は、ユーザデータが記録される領域であるので、これらのセクターのそれぞれのＰａｄｄｉｎｇ＿ｆｌａｇは、対応するセクターにパディングが存在しないことを示すためにある値、例えば、「０ｂ」に設定される。他方、セクター３０及びセクター３１は、パディングデータでパディングされる領域であるので、これらのセクターのそれぞれのＰａｄｄｉｎｇ−ｆｌａｇは、対応するセクターにパディングが存在することを示すために「１ｂ」などの値に設定される。
【００４５】
この例において、ＬＲＡは、セクター２９の位置（第１のＰＳＮ）を表す。このため、光記録／再生装置は、ＬＲＡを含むクラスタをデコードし、セクターのそれぞれに対応するＰａｄｄｉｎｇ＿ｆｌａｇを読み取り、クラスタにおいてダミーデータでパディングされたセクターを正確に認識することができる。
【００４６】
図４Ｂは、ＳＲＲの記録可能な領域の特定のクラスタがＳＲＲをクローズする場合、ダミーデータで完全にパディングされることを示している。図４Ｂは、パディング後にクローズされたＳＲＲからパディングなしでクローズされたＳＲＲを区別するためのパディング識別情報「Ｐａｄｄｉｎｇ＿ｆｌａｇ」が対応するクラスタに制御フラグとして設定されることを示している。
【００４７】
図４Ｂに示すように、この例において、セクター０−セクター３１がダミーデータで完全にパディングされた領域であるので、これらの３２のセクターのそれぞれのＰａｄｄｉｎｇ−ｆｌａｇは、「１ｂ」などのある値に設定されて対応するセクターがパディングされていることを示す。
【００４８】
その結果、光記録／再生装置は、上述したようにパディング識別情報Ｐａｄｄｉｎｇ＿ｆｌａｇを有するクラスタをデコードし、セクターのそれぞれに対応するＰａｄｄｉｎｇ＿ｆｌａｇを読み取り、クラスタ中の全てのセクターがダミーデータでパディングされていることを正確に認識することができる。
【００４９】
換言すると、図４Ａは、ディスク上の順次記録を終了するためのパディングに関するものであるのに対し、図４Ｂは、ＳＲＲをクローズするためのパディングに関するものである。図４Ａは、順次記録が終了されるとき、関連クラスタ中の全ての残りのセクターがダミーデータでパディングされていることを示している。
【００５０】
それぞれのパディングフラグはクラスタの各セクターに対応し、対応するセクターがパディングされる場合、「１ｂ」に設定される。図４Ａの場合に、パディングは一度に１セクターに対して行われる。他方、図４Ｂの場合に、１以上のクラスタ（一度に１クラスタ）がＳＲＲをクローズするときにパディングされる。１つのクラスタのパディングにおいて、そのクラスタの３２のセクターに対応する３２のパディングフラグは、図４Ｂに示すように、そのクラスタのパディングを示すためにすべて「１ｂ」に設定される。
【００５１】
図５ないし図６Ｃは、本発明によるＳＲＲＩの構造及びＳＲＲＩに含まれた情報を示している。
【００５２】
特に、図５は、ＳＲＲＩの全体構造を示している。ＳＲＲＩは１以上のＳＲＲに関係し、ディスクの記録状態を提供する管理情報である。ＳＲＲＩは、図１及び図５の光ディスク構造のＴＤＭＡ（例えば、ＴＤＭＡ０）に記録される。図５に示すように、ＴＤＭＡ中のそれぞれのＳＲＲＩ６０は、３つの部分、すなわち、ヘッダ５０、ＳＲＲエントリの一覧３０及びＳＲＲ一覧ターミネータ４０から構成される。ヘッダ５０は、ＳＲＲＩを識別する。ＳＲＲエントリの一覧３０は、対応するＳＲＲのそれぞれの記録状態を表す。ＳＲＲ一覧ターミネータ４０は、ＳＲＲＩの終わりまたは終端を示す。
【００５３】
ヘッダ５０はＳＲＲＩのヘッダに位置し、「ＳＲＲＩ構造識別子」フィールド５１、「オープンＳＲＲの一覧」フィールド５２、「ＳＲＲエントリの数」フィールド５３及び「オープンＳＲＲの数」フィールド５４を含み、それで全体のＳＲＲエントリコンテンツを、ＳＲＲエントリ一覧を読み取る前にチェックすることができる。ここで、「ＳＲＲＩ構造識別子」フィールド５１は、ＳＲＲＩを識別する。「オープンＳＲＲの一覧」フィールド５２は、対応するＳＲＲＩと関連付けられたオープンＳＲＲの位置（識別）を知らせ、図６Ｃを参照して後述する。「ＳＲＲエントリの数」フィールド５３は、ＳＲＲＩ６０と関連付けられた全てのＳＲＲの総数を表す。「オープンＳＲＲの数」フィールド５４は、オープンＳＲＲの総数を表す。
【００５４】
ヘッダ５０の後、ＳＲＲエントリの一覧（またはＳＲＲエントリ一覧）５０がＳＲＲＩに記録される。最終ＳＲＲエントリの後、ＳＲＲＩの終わりは、ＳＲＲ一覧ターミネータ４０でマークされる。ＳＲＲ一覧ターミネータ４０は、ＳＲＲＩが可変サイズの場合、対応するＳＲＲＩの終了位置を示す情報として意味がある。
【００５５】
このため、ディスク管理情報として、ＳＲＲＩは、ヘッダ５０、ＳＲＲエントリ一覧３０及びＳＲＲ一覧ターミネータ４０から構成される。全てのこのような情報は、更新される度に一括して記録される。
【００５６】
図６Ａは、本発明に従ってＳＲＲＩに記録されるＳＲＲエントリ一覧３０の一例を示している。図６Ａに示すように、ＳＲＲエントリ一覧３０は、１以上のＳＲＲエントリ３５から構成される。ＳＲＲエントリ３５のそれぞれは、ディスク上の（ＳＲＲ番号により識別される）１つのＳＲＲに関する情報を担持し、８バイト（６４ビット）のサイズを有し、対応するＳＲＲの記録状態を表す。それぞれのＳＲＲエントリ３５は、対応するＳＲＲの状態を格納するための状態フィールド３１（状態１）、対応するＳＲＲの開始アドレスを格納するための開始アドレスフィールド３２、対応するＳＲＲの状態を格納するための他の状態フィールド３３（状態２）及び対応するＳＲＲのＬＲＡを格納するための最終記録アドレス（ＬＲＡ）フィールド３４（すなわち、ＳＲＲに格納されたユーザデータの終了アドレス）を含む。一般に、開始アドレスフィールド３２中の対応するＳＲＲの開始アドレスは、ＰＳＮとして表される。
【００５７】
一実施形態によれば、ＳＲＲエントリ３５の６４ビットのうち最初の４つの最上位ビット（ｂ６３−ｂ６０）は、第１の状態フィールド３１に割り当てられ、ＳＲＲエントリ３５の次の２８ビット（ｂ５９−ｂ３２）は、開始アドレスフィールド３２に割り当てられ、ＳＲＲエントリ３５の次の４ビット（ｂ３１−ｂ２８）は、第２の状態フィールド３３に割り当てられ、ＳＲＲエントリ３５の最終２８ビット（ｂ２７−ｂ０）は、ＬＲＡフィールド３４に割り当てられる。
【００５８】
図６Ｂは、本発明によるＳＲＲエントリ一覧３０に記録されるＳＲＲエントリ３５の一例を示す。状態１フィールド３１は、任意のパディングが対応するＳＲＲにおいて行われたかどうかを識別する情報を格納するために使用される。状態２フィールド３３は、対応するＳＲＲがセッションの開始であるかどうかを識別する情報を格納するために使用される。
【００５９】
図６Ｂに示すように、状態１フィールド３１に割り当てられた４つの先頭ビットのうち、１ビットを使用して、ＳＲＲがパディングデータでパディングされたか否かを識別するパディング識別情報「Ｐ−ｆｌａｇ」を格納する。４つの先頭ビットのうち他の３ビットは、規格の変更のために予約されている。
【００６０】
ＳＲＲエントリに記録されるパディング識別情報「Ｐ＿ｆｌａｇ」は、図４Ａ及び図４Ｂを参照して上述したパディング識別情報「Ｐａｄｄｉｎｇ＿ｆｌａｇ」と似ていることに留意すべきである。しかしながら、これらは、異なる目的を有している。特定のＳＲＲが最終的にパディングされると、Ｐ＿ｆｌａｇはＳＲＲエントリに記録されて、対応するＳＲＲがパディングされたＳＲＲであることを直接表す。このため、光記録／再生装置（図１２）は、対応するＳＲＲがＳＲＲエントリに管理情報として記録されたＰ−ｆｌａｇを検査することにより、パディングされているか否かを容易にチェックすることができる。その後、光記録／再生装置は、図４Ａ及び図４Ｂを参照して上述した対応するクラスタ（ＳＲＲ）をデコードし、ＳＲＲの各セクターに対応するＰａｄｄｉｎｇ＿ｆｌａｇの値をクラスタから読み取り、それで光記録／再生装置は、そのＬＲＡの後にどの程度のＳＲＲがパディングされているかを判定することができる。
【００６１】
図６Ｂの例において、状態１フィールド３１の第１のビット（３１ａ）は、Ｐ−ｆｌａｇを担持し、フィールド３１の残りの３ビット（３１ｂ）は予約される。Ｐ＿ｆｌａｇ＝１ｂであれば、対応するＳＲＲがパディングされたＳＲＲであることを意味する（すなわち、ＳＲＲは、少なくとも一部がパディングデータでパディングされる）。Ｐ＿ｆｌａｇ＝０ｂであれば、対応するＳＲＲが未パディングのＳＲＲであることを意味する。
【００６２】
４ビットが割り当てられた状態２フィールド３３は、対応するＳＲＲがセッション開始ＳＲＲであるか否かを示す情報を担持する。４−ビットのフィールド３３の１ビットは、対応するＳＲＲがセッションの開始ＳＲＲであるか否かを識別するセッション識別情報「Ｓ−ｆｌａｇ」を担持する。フィールド３３の他の３ビットは、規格の何らかの変更のために予約される。この例において、４−ビットのフィールド３３の第１のビット（３３ａ）はＳ−フラグを格納し、残りの３ビット（３３ｂ）は予約される。Ｓ＿ｆｌａｇ＝１ｂであれば、対応するＳＲＲがセッションの開始ＳＲＲであることを意味する。Ｓ＿ｆｌａｇ＝０ｂであれば、対応するＳＲＲがセッションの開始ＳＲＲではないことを意味する。
【００６３】
Ｓ＿ｆｌａｇを通じてセッションの開始を識別する理由の１つは、セッションを区別するために追加の領域（例えば、ボーダーイン／ボーダーアウト）を割り当てるＤＶＤなどの既存のディスク構造と互換性を提供するためである。しかしながら、追加領域の割り当てによりディスクの全体の記録容量が減る。このように、本発明は、ＳＲＲエントリ３５にセッション識別情報（Ｓ−ｆｌａｇ）を提供することによって、この限界を克服する。このため、全体のディスクのセッション構造は、情報を区別するそのようなセッションを格納するための追加の領域を割り当てる必要なく、ＳＲＲエントリ３５中のセッション識別情報Ｓ−ｆｌａｇを用いて容易に認識することができる。
【００６４】
本発明の説明の便宜のために、Ｐ＿ｆｌａｇ及びＳ＿ｆｌａｇは、ＳＲＲエントリの別個の状態フィールドに格納された別個の状態情報として示されているが、これらは、ＳＲＲエントリの１つの状態フィールドに一緒に格納することができる。
【００６５】
ＳＲＲエントリ３５のＬＲＡフィールド３４は、対応するＳＲＲに記録されたユーザデータの終了アドレス（ＬＲＡ）を記録するためのフィールドであり、対応するＳＲＲに記録されたユーザデータ（任意のパディングデータを除く）の終了アドレスを格納する。
【００６６】
図６Ｃは、本発明の一実施形態による図５のＳＲＲＩの「オープンＳＲＲの一覧」フィールド５２の詳細な構造を示す。フィールド５２に格納された情報を使用してそれぞれのオープンＳＲＲの位置／識別を判定する。図６Ｃに示すように、１以上のオープンＳＲＲ番号がオープンＳＲＲの位置情報として「オープンＳＲＲの一覧」フィールド５２に記録される。特定のＳＲＲを識別するオープンＳＲＲ番号を記録するために、２バイトが割り当てられる。
【００６７】
本発明において、ディスク上に最大１６のオープンＳＲＲが存在すると、対応するオープンＳＲＲ（それゆえオープンＳＲＲエントリ）の位置（識別）がそれぞれのオープンＳＲＲ番号を通じて記録される。このため、本発明のディスク構造を有する光ディスクをロードするとき、記録／再生装置は、本発明のオープンＳＲＲ情報を基にディスクの記録が可能な位置（ＮＷＡ）を決めることができる。換言すると、現在のディスク上のオープンＳＲＲの位置は、データを記録するために知られているべきである。対応するＳＲＲがオープンＳＲＲであるか、クローズＳＲＲであるかを識別する情報が、特にＳＲＲエントリに提供されないので、オープンＳＲＲの識別／位置は、ＳＲＲＩのヘッダに記録され、容易にアクセスでき、それで光記録／再生装置が識別されたオープンＳＲＲと関連付けられたＳＲＲエントリを容易に読み取ることができる。
【００６８】
このため、「オープンＳＲＲの一覧」フィールド５２に記録されたＳＲＲ番号を有するＳＲＲだけがオープンＳＲＲとして追加的に記録可能である。その後、ＳＲＲがクローズＳＲＲに変更されると、クローズＳＲＲのＳＲＲ番号は、「オープンＳＲＲの一覧」フィールド５２から除去されてオープンＳＲＲをクローズＳＲＲから容易に区別することが可能になる。
【００６９】
本発明によるディスク記録状態を表すＳＲＲＩを更新するための方法について説明する。特に、ＳＲＲ及びセッションをオープン及びクローズし、ＳＲＲをダミーデータでパディングし、ＳＲＲＩを記録する方法を図７Ａないし図１１Ｂを参照して説明する。
【００７０】
図７Ａないし図１１Ｂは、本発明の追記型光ディスクのディスク記録状態に従ってＳＲＲＩを記録する方法を順次示している。より具体的には、図７Ａないし図１１Ｂは、ディスク上の異なるタイプのＳＲＲ（図２Ａないし図３Ｅに示す）がどのように作成され、時間のフローに応じて行われる順次的なステップを用いてＳＲＲＩを記録する仕方を順次示している。これらの方法は、ＳＲＲ、ＳＲＲＩ及び図１ないし図６Ｃを参照してここで説明したディスク構造を有するＢＤ−ＷＯなどの追記型光ディスク上に実装される。
【００７１】
図７Ａは、ディスクの全体領域が初期のブランクディスクとして記録可能であり、太い矢印により示された部分がＮＷＡ位置を示すステップ１を示している。ディスクの開始位置は、ＮＷＡである。ここで、１つのＳＲＲ（ＳＲＲ＃１）だけがディスク上に存在する。これは、図２Ａに示すインビジブルＳＲＲである。
【００７２】
このため、セッションは、ディスクの初期状態であり、１つのオープンセッション＃１だけが存在する。このディスクは、ブランクディスクであり、ＳＲＲＩはディスク上にまだ記録されていない。セッションは、ＳＲＲなどの下位レベルの記録単位と比較される上位レベルの記録単位であり、少なくとも１つのＳＲＲを含む。複数のセッションがディスク上に記録でき、このようなディスクをマルチセッションディスクと呼ぶ。
【００７３】
図７Ｂは、データ（例えば、ユーザデータ）が図７Ａのブランクディスク上に部分的に記録されるが、セッション＃１はまだクローズされていないステップ２を示している。ここで、１つのＳＲＲ（ＳＲＲ＃１）だけがディスク上に存在し、これは図２Ｂに示すインコンプリートＳＲＲである。セッション＃１は、オープンセッションとして保持される。図７Ｂに示すように、ユーザデータは、インコンプリートＳＲＲ＃１の一部として記録され、ＳＲＲ＃１（クラスタ）の未記録部分（例えば、セクター）は、ダミーデータでパディングされる。上述したように、ＳＲＲのパディングされたセクターは、例えば、クラスタ／ＳＲＲ＃１のパディングされたセクター内のクラスタの指定領域に記録される「Ｐａｄｄｉｎｇ＿ｆｌａｇ＝１ｂ」で指示される。
【００７４】
図７Ｃは、ディスクが図７Ｂの状態にあるとき、ディスクの管理領域にＳＲＲＩを記録するプロセスを示している。説明の便宜のために、図１及び図５に示すＳＲＲＩ構造及びディスク構造の全ての異なる構成要素のうちある特定の部分だけを示している。例えば、（ＳＲＲＩ＋ＴＤＤＳ）または（ＴＤＦＬ＋ＴＤＤＳ）が、上述したように、ディスクのＴＤＭＡ０などのＴＤＭＡの各クラスタに記録されるが、ＳＲＲＩだけを図７ＣのＴＤＭＡ０に示し、ＴＤＦＬ及び／またはＴＤＤＳは、明瞭性のために省略されている。さらに、図５に示すＳＲＲＩの異なるフィールドのうち「オープンＳＲＲの一覧」フィールド５２及び「ＳＲＲエントリの一覧」フィールド３０だけを示している。
【００７５】
図７Ｃのディスクの記録状態は、１つのオープンＳＲＲ（ＳＲＲ＃１）だけが図７Ｂなどの全てのディスク領域に存在する場合である。図７Ｃに示すように、インコンプリートＳＲＲ＃１が図７Ｂなどのセッションをクローズすることなく形成されるとき、ＳＲＲ＃１に関係するＳＲＲＩ＃１（６０ａ）が生成され、ＴＤＭＡ０に記録される。ＳＲＲＩ＃１（６０ａ）において、オープンＳＲＲ＃１のＳＲＲ番号（ＳＲＲ＃１）は、その「オープンＳＲＲの一覧」フィールド５２ａに記録される。ＳＲＲＩ＃１（６０ａ）の「ＳＲＲエントリの一覧」フィールド３０ａに、ＳＲＲ＃１に関係する１つのＳＲＲエントリ３５ａだけが存在する。ＳＲＲエントリ３５ａ（または後述するＳＲＲエントリ）（３５ｂ−３５ｐ）は、上述した図６Ａ及び図６ＢのＳＲＲエントリ構造を有する。
【００７６】
ＳＲＲエントリ３５ａにおいて、ＳＲＲ＃１の一部が最終的にパディングされるので、Ｐ＿ｆｌａｇは、対応するＳＲＲ＃１の状態情報として「１ｂ」に設定される。ＳＲＲ＃１がオープンセッション＃１の開始ＳＲＲであるので、Ｓ＿ｆｌａｇは対応するＳＲＲ＃１の状態情報として「１ｂ」に設定される。
【００７７】
図８Ａは、セッションクローズコマンドが図７Ｂのステップ２において受け取られ、実行されるステップ３を示している。セッションクローズコマンドに応答して、ユーザデータが記録される領域が独立したクローズＳＲＲに分離され、新たなセッションがユーザデータ記録領域に続く領域に作成される。例えば、図８Ａに示すように、ステップ２においてユーザデータで完全に記録された領域の一部が、クローズセッション＃１を形成するコンプリートＳＲＲ＃１（クローズＳＲＲ）となる。加えて、未記録領域は、同時にオープンセッション＃２を形成するインビジブルＳＲＲ＃２（オープンＳＲＲ）となる。
【００７８】
図８Ｂは、図８Ａのようなディスク状態に関係する場合にディスク記録状態（ＳＲＲＩ）を記録するプロセスを示している。ＳＲＲＩが第２の記録ＳＲＲＩであるので、このＳＲＲＩは、ＳＲＲＩ＃２（６０ｂ）と名付けられる。ＳＲＲＩ＃２（６０ｂ）は、ＴＤＭＡ０のＳＲＲＩ＃１（６０ａ）の次に記録される。図８Ａのディスクの状態を記録するために、ディスクの全領域が１つのオープンＳＲＲ（ＳＲＲ＃２）及び１つのクローズＳＲＲ（ＳＲＲ＃１）を有するので、オープンＳＲＲ＃２のＳＲＲ番号は、ＳＲＲＩ＃２の「オープンＳＲＲの一覧」フィールド５２ｂに記録され、ＳＲＲ＃１及びＳＲＲ＃２に関する情報は、ＳＲＲエントリ３５ｂ及び３５ｃとしてＳＲＲＩ＃２の「ＳＲＲエントリの一覧」フィールド３０ｂにそれぞれ記録される。図８Ｂ（及びその他の図）において陰影を付したＳＲＲエントリ（例えば、３５ｂ）は、そのエントリがクローズＳＲＲエントリであることを示す。このため、ユーザデータが新たに作成されたＳＲＲ＃２にまだ記録されていないので、ＳＲＲ＃２エントリ（３５ｃ）のＰ−ｆｌａｇは「０ｂ」に設定される。ＳＲＲ＃２がオープンセッション＃２の開始ＳＲＲであるので、ＳＲＲ＃２エントリ（３５ｃ）のＳ＿ｆｌａｇは、「１ｂ」に設定される。
【００７９】
図９Ａは、ディスクが図８Ａの状態にあるとき、新たなデータを記録するために２つのオープンＳＲＲがさらに予約されるステップ４を示している。このため、新たに作成されたオープンＳＲＲがオープンエンプティーＳＲＲ＃２及び＃３であり、太い矢印にて示されたＮＷＡを有する。その結果、オープンセッション＃２は、エンプティーＳＲＲ＃２及び＃３及びインビジブルＳＲＲ＃４から構成される。
【００８０】
図９Ｂは、図９Ａのようなディスク状態に関係する場合にディスク記録状態（ＳＲＲＩ）を記録するプロセスを示している。ＳＲＲＩが第３の記録ＳＲＲＩであるので、そのＳＲＲＩはＳＲＲＩ＃３（６０ｃ）と名付けられる。ＳＲＲＩ＃３（６０ｃ）は、ＴＤＭＡ０のＳＲＲＩ＃２（６０ｂ）の隣に記録される。図９Ａのディスクの状態を記録するために、ディスクの全領域が３つのオープンＳＲＲ（ＳＲＲ＃２、＃３及び＃４）と１つのクローズＳＲＲ（ＳＲＲ＃１）を有するので、オープンＳＲＲのＳＲＲ番号（ＳＲＲ＃２、＃３及び＃４）は、ＳＲＲＩ＃３の「オープンＳＲＲの一覧」フィールド５２ｃに記録される。全ての４つのＳＲＲ（ＳＲＲ＃１−＃４）に関する情報は、ＳＲＲエントリ３５ｄ−３５ｇとしてＳＲＲＩ＃３の「ＳＲＲエントリの一覧」フィールド３０ｃにそれぞれ記録される。
【００８１】
このため、新たに作成されたＳＲＲ＃２、＃３及び＃４に関する情報がＳＲＲＩ＃３（６０ｃ）に記録され、ユーザデータがＳＲＲ＃２、＃３及び＃４にまだ記録されていないので、対応するＳＲＲエントリ３５ｅ、３５Ｆ、３５ｇのＰ＿ｆｌａｇは「１ｂ」に設定される。しかしながら、ＳＲＲ＃３及び＃４がオープンセッション＃２の開始ＳＲＲではないが、ＳＲＲ＃２がセッション開始ＳＲＲであるので、ＳＲＲ＃２エントリ３５ｅ、ＳＲＲ＃３エントリ３５ｆ及びＳＲＲ＃４エントリ３５ｇのＳ＿ｆｌａｇはそれぞれ「１ｂ」、「０ｂ」及び「０ｂ」に設定される。
【００８２】
図１０Ａは、ユーザデータが図９ＡのインビジブルＳＲＲ＃４及びエンプティーＳＲＲ＃２に記録されるステップ５を示している。このため、第１のエンプティーＳＲＲ＃２は、部分記録ＳＲＲ＃２に変更され、インビジブルＳＲＲ＃４は、インコンプリートＳＲＲ＃４に変更されるが、オープンエンプティーＳＲＲ＃３は変更されない。ＳＲＲ＃２は、パディングなしのユーザデータで記録される。ＳＲＲ＃４は、ユーザデータで記録され、また、パディングデータでパディングされる。ＳＲＲ＃４のパディングセクターにおいて、Ｐａｄｄｉｎｇ＿ｆｌａｇは「１ｂ」に設定される。
【００８３】
図１０Ｂは、図１０Ａのようなディスク状態に関係する場合にディスク記録状態（ＳＲＲＩ）を記録するプロセスを示している。ＳＲＲＩが第４の記録ＳＲＲＩであるので、ＳＲＲＩはＳＲＲＩ＃４（６０ｄ）と名付けられる。ＳＲＲＩ＃４（６０ｄ）は、ＳＲＲＩ＃３（６０ｃ）の次に記録される。図１０Ａのディスクの状態を記録するために、ディスクの全領域が３つのオープンＳＲＲ（ＳＲＲ＃２−＃４）及び１つのクローズＳＲＲ（ＳＲＲ＃１）を有するので、オープンＳＲＲのＳＲＲ番号（ＳＲＲ＃２−＃４）は、ＳＲＲＩ＃４（６０ｄ）の「オープンＳＲＲの一覧」フィールド５２ｄに記録される。４つの全てのＳＲＲ（ＳＲＲ＃１−＃４）に関する情報は、ＳＲＲエントリ３５ｈ−３５ｋとしてＳＲＲＩ＃４６０ｄの「ＳＲＲエントリの一覧」フィールド３０ｄにそれぞれ記録される。
【００８４】
このステップにおいて、ＳＲＲエントリの数及びオープンＳＲＲの位置は、図９Ｂに示すものと同じであるが、ユーザデータが特定のオープンＳＲＲ上に記録されるので、記録オープンＳＲＲエントリのＬＲＡが変更され、Ｐ＿ｆｌａｇの値も変更される。換言すると、記録されたＳＲＲ＃２及びＳＲＲ＃４に関する情報が更新される。ＳＲＲ＃２がパディングなしにユーザデータで記録されるので、ＳＲＲ＃２エントリ３５ｉのＰ＿ｆｌａｇは、「０ｂ」となるように保持される。ＳＲＲ＃４がユーザデータで記録されてパディングされるので、ＳＲＲ＃４エントリ３５ｋのＰ＿ｆｌａｇは、「１ｂ」に変更される。
【００８５】
図１１Ａは、ディスクが図１０Ａの状態にあるとき、セッションクローズコマンドが受信され、実行されるステップ６を示している。図１１Ａに示すように、オープンＳＲＲの追加的に記録可能な部分またはオープンＳＲＲの追加的に記録可能な部分の一部は、オープンＳＲＲがクローズされる前にダミーデータでパディングされる。上述したように、パディング動作は、オプション的な機能である。また、パディングが行われるとき、特定のデータ（例えば、文字コードとしての「ＣＬＳＤ」）を上述したようにパディングデータとして記録可能とすることができる。
【００８６】
以前にオープンＳＲＲであったＳＲＲ＃２、＃３及び＃４は、クローズ部分記録ＳＲＲ＃２、クローズエンプティーＳＲＲ＃３及びコンプリートＳＲＲ＃４に変更され、これらは次いでクローズセッション＃２を形成する。ＳＲＲ＃２及び＃３において、追加的に記録可能な領域が残っているが、クローズコマンドによってクローズＳＲＲに変更される。ここで、一部は、代替的にダミーデータでパディングされる。このため、ダミーデータでパディングされたクラスタ／ＳＲＲ（例えば、図４Ｂ）の全てのセクターがＰａｄｄｉｎｇ＿ｆｌａｇ＝１ｂに設定される。しかしながら、この場合でも、ＳＲＲエントリに記録されたＬＲＡはユーザデータが実際に記録される終わりの位置を意味する。ダミーデータ部分は、上述したように、ＬＲＡ位置の決定に影響を及ぼさない。残りの最外ＳＲＲ＃５は、インビジブルＳＲＲ＃５であり、これは次いで新たなオープンセッション＃３を形成する。
【００８７】
図１１Ｂは、図１１Ａのようなディスク状態に関係する場合にディスク記録状態（ＳＲＲＩ）を記録するプロセスを示している。ＳＲＲＩが管理領域において第５の記録ＳＲＲＩであるので、このＳＳＲＩはＳＲＲＩ＃５（６０ｅ）と名付けられる。ＳＲＲＩ＃５（６０ｅ）は、ＴＤＭＡ０のＳＲＲＩ＃５（６０ｄ）の次に記録される。図１１Ａのディスクの状態を記録するために、ディスクの全領域が１つのオープンＳＲＲ（ＳＲＲ＃５）と４つのクローズＳＲＲ（ＳＲＲ＃１−ＳＲＲ＃４）を有するので、オープンＳＲＲ（ＳＲＲ＃５）のＳＲＲ番号がＳＲＲＩ＃５の「オープンＳＲＲの一覧」フィールド５２ｅに記録され、ＳＲＲＩ＃４に記録された全ての以前のオープンＳＲＲ番号（例えば、図１０ＢのＳＲＲ＃２、ＳＲＲ＃３及びＳＲＲ＃４）は、現在のオープンＳＲＲ一覧５２ｅから除去される。「オープンＳＲＲの一覧」フィールドからＳＲＲを除去することは、このようなＳＲＲがクローズされることを意味する。全ての５つのＳＲＲ（ＳＲＲ＃１−ＳＲＲ＃５）に関する情報は、ＳＲＲエントリ３５ｌ−３５ｐとしてＳＲＲＩ＃５の「ＳＲＲエントリの一覧」にそれぞれ記録される。
【００８８】
ＳＲＲ＃２及びＳＲＲ＃３は、クローズコマンドに応答してダミーデータでパディングされるので、ＳＲＲ＃２エントリ３５ｍ及びＳＲＲ＃３エントリ３５ｎのＰ＿ｆｌａｇは「１ｂ」に変更されて、対応するＳＲＲの少なくとも一部がパディングデータでパディングされることを示す。ＳＲＲエントリのＬＲＡは、ユーザデータが実際に記録される終わりの位置であるので、ＳＲＲ＃２−ＳＲＲ＃４のＬＲＡは、ＳＲＲＩ＃４（６０ｄ）に記録された以前のＬＲＡと同じ値を有する。また、ユーザデータが新たに生成されたインビジブルＳＲＲ＃５上にまだ記録されていないので、ＳＲＲ＃５エントリ３５ｐのＰ＿ｆｌａｇは、「０ｂ」となるように設定される。ＳＲＲ＃５が新たなセッション＃３の開始ＳＲＲであるので、ＳＲＲ＃５エントリのＳ−ｆｌａｇは、「１ｂ」となるように設定される。
【００８９】
図７Ａないし図１１Ｂから分かるように、ＳＲＲＩは、現在のディスクの記録状態を示す情報である。本発明の光ディスクを記録／再生装置にローディングするとき、記録／再生装置は、管理領域に最終的に記録された最新のＳＲＲＩ（上記の例でＳＲＲＩ＃５）をチェックしなければならない。最新のＳＲＲＩのみがディスクの最終記録状態を正しく示すので、追加的に記録されたＳＲＲの位置をチェックすることが可能になる。
【００９０】
しかしながら、ディスクを使用している間に、電源がいきなり切られるか、あるいは、ディスクが損傷を受けると、ディスクの最新のＳＲＲＩが正しく読み出されないことがある。このときに、最終記録状態が非損傷のＳＲＲＩのうち最新のＳＲＲＩを用いて再構成する必要がある。
【００９１】
本発明によれば、ＳＲＲがクローズされるとき、ＳＲＲはパディング動作でパディングされ、ディスクの最新のＳＲＲＩが損傷を受けた状況にあっても、このパディング情報を用いて、さらには、ディスクの最終記録状態を再構成することができる。これにより、最新のＳＲＲＩ及びディスクの現在の記録状態を回復することが可能になる。
【００９２】
図１２、図１３Ａ及び図１３Ｂは、本発明による追記型光ディスク上にデータを記録する方法を示している。この方法は、最新のＳＲＲＩが損傷を受けたときでも、ディスクの最終記録状態を推定し、ディスクの最新のＳＲＲＩを回復する。記録／再生は、最新のＳＲＲＩから得られた最終記録状態を用いて行うことができる。
【００９３】
対応するＳＲＲＩが欠陥領域として判定され、記録情報が信頼できないとき、そのＳＲＲＩは損傷を受けたと言われる。最新のＳＲＲＩが損傷を受けると、これは、ディスクの最終記録状態が最新のＳＲＲＩから得られないことを意味する。このため、ディスクの記録が可能な位置を知ることができない。最悪の場合、ディスクそのものをもはや使用できない。
【００９４】
本発明は、最新のＳＲＲＩが損傷を受けたとき、ディスクの最終記録状態を正しく回復する方法を提供する。特に、図１２は、本発明の一実施形態によりＢＤ−ＷＯなどの追記型光ディスクの最終記録状態を回復し、ディスク上の記録／再生動作を行う方法を示すフローチャートである。ディスクは、上述したように、ディスク構造及びＳＲＲＩ構造を含む。図１２を参照すると、ディスクが１４に示すような光記録／再生装置にローディングされる場合、管理領域（例えば、ＴＤＭＡ０）内に記録された最新のＳＲＲＩが読み出される。そして、読み取られたＳＲＲＩが損傷を受けたか否かをチェックする（Ｓ１０）。
【００９５】
最新のＳＲＲＩが損傷を受けていなければ、最終ディスク記録状態が最新のＳＲＲＩから得られる（Ｓ２１）。そして、最新のＳＲＲＩを用いて、追加的に記録可能な領域にのみ記録が行われるか、及び／または、既に記録された領域に対して再生動作が行われる（Ｓ２２）。このような領域に関する情報は、最新のＳＲＲＩから得られる。
【００９６】
他方、ステップ（Ｓ１０）により、最新のＳＲＲＩが損傷を受けたと判定されると、非損傷ＳＲＲＩのうち最新のＳＲＲＩが判定される（Ｓ３１）。そして、この最新の非損傷ＳＲＲＩが読み出される（Ｓ３２）。損傷を受けたＳＲＲＩは、ディスクの最新の非損傷ＳＲＲＩ及び実際の記録状態を用いて回復することができる（Ｓ３３）。ステップＳ３３は、オプションのステップとすることができる。追加的に記録可能な領域に記録が行われ、及び／または、既に記録された領域に対して再生動作が行われる。このような領域に関する情報は、ディスクの最新の非損傷ＳＲＲＩ及び／または実際の記録状態から判定することができる。記録／再生ステップＳ３４の後、新たに変更された記録状態が管理領域に新たなＳＲＲＩとして記録することができる。
【００９７】
図１３Ａ及び図１３Ｂは、最新のＳＲＲＩ（図１１Ｂの例におけるＳＲＲＩ＃５）が損傷を受けたとき、最終記録状態を回復する図１２のステップＳ３３の一例を示している。説明の便宜のために、図７Ａないし図１１ＢのＳＲＲＩ記録方法について一例として説明する。
【００９８】
図１３Ａに示すように、ＳＲＲＩが正常状態にあれば、ＳＲＲＩ＃５（６０ｅ）がディスクの最新のＳＲＲＩとなる。しかしながら、ＳＲＲＩ＃５が損傷を受けた場合、記録／再生装置は、非損傷ＳＲＲＩのうち最新のＳＲＲＩを読み取る。この例において、ＳＲＲＩ＃４（６０ｄ）が非損傷ＳＲＲＩ＃１−ＳＲＲＩ＃４のうち最新のＳＲＲＩである。
【００９９】
図１１Ａに示すステップ６と関連付けられた実際の記録状態は、図１１Ｂに示すように書かれたＳＲＲＩ＃５（６０ｅ）から判定することができる。しかしながら、ＳＲＲＩ＃５（６０ｅ）が損傷を受けているので、記録／再生装置によりチェックできる最新のＳＲＲ情報は、ＳＲＲＩ＃４（６０ｄ）である。しかし、ＳＲＲＩ＃５がディスクの最終記録状態を担持するので、ＳＲＲＩ＃４はこの情報を必ずしも担持する必要はない。そして、ＳＲＲＩ＃５を用いることなく、ディスクの最終記録状態を回復するためには、ＳＲＲＩ＃４及びディスクの実際の最終記録状態を比較する必要がある。比較は、次のようにして行われる。
【０１００】
記録／再生装置（例えば、図１４）は、オープンＳＲＲの位置及びＳＲＲＩ＃４からの関連ＬＲＡ情報をチェックする。これは、図１３Ａの例において、３つのオープンＳＲＲ＃２、＃３及び＃４があるＳＲＲＩ＃４（６０ｄ）の「オープンＳＲＲの一覧」フィールド５２ｄから判定される。そして、ＳＲＲＩ＃４（６０ｄ）の「ＳＲＲエントリの一覧」フィールドからこれらのオープンＳＲＲに対応するこれらのＳＲＲエントリのＬＲＡフィールドにアクセスすることにより、ＬＲＡが得られ、このＬＲＡを使用して対応するＳＲＲが本当にオープンＳＲＲであるかどうかを検証する。これに関し、ＳＲＲＩ＃４（６０ｄ）のフィールド５２ｄにおいて識別されたオープンＳＲＲだけが検査される。クローズＳＲＲで記録された位置は、検証されないかもしれない。オープンＳＲＲをクローズＳＲＲに変更すると、クローズＳＲＲはオープンＳＲＲにさらに変更し戻すことはできない。その結果、最終ＳＲＲ情報の回復は、オープンＳＲＲのそれぞれがクローズＳＲＲに変更されているかをチェックすることにより可能である。
【０１０１】
ＳＲＲＩ＃４（６０ｄ）のフィールド５２ｄにあるオープンＳＲＲとして識別されるＳＲＲ＃２及び＃３の場合に、ＳＲＲ＃２及び＃３のそれぞれを検査して、図１１Ａ（実際の最終ディスク記録状態）から分かるように、所定のパディングデータ（例えば、ダミーデータ）が（エントリのＬＲＡフィールドにおいて識別された）そのＬＲＡの後に記録されたか否かを判定する。パディングが検出されると、記録／再生装置は、対応するオープンＳＲＲがクローズＳＲＲに変更されたことを判定する。
【０１０２】
ＳＲＲＩ＃４のフィールド５２ｄからオープンＳＲＲとして認識されるＳＲＲ＃４の場合に、記録／再生装置は、ＳＲＲ＃４を検査して、図１１Ａ（実際の最終ディスク記録状態）のそのＬＲＡの後にパディングデータ（例えば、ダミーデータ）が存在するか否かを判定する。ＳＲＲ＃４は、実際の最終ディスク記録状態において、オープンＳＲＲとして分析することができる。また、ＳＲＲ＃４のＬＲＡ位置の後の領域が記録可能であること、すなわち、この領域がＮＷＡということが分かる。そして、記録／再生装置において、オリジナルＳＲＲ＃４の既に記録された領域がクローズＳＲＲ（新たなクローズＳＲＲ＃４）と判定され、オリジナルのＳＲＲ＃４の記録可能な領域だけがオープンＳＲＲ（新たなＳＲＲ＃５）として分析される。このように、損傷を受けたＳＲＲＩ＃５のコンテンツは、上記の分析結果を用いることによって再構成することができる。さらに、記録／再生装置により記録動作を行う上で必要な情報が追加的に記録可能な位置情報（ＮＷＡ）であるので、古い及び新たなＳＲＲ＃４と関連するＮＷＡは変更されず、そのため、記録／再生装置により使用することができる。
【０１０３】
図１３Ｂは、上述したように、図１３Ａのプロセスによる最新のＳＲＲＩ＃５の回復の結果を示している。この結果は、実際のディスクの最終記録状態と一致する。このため、記録／再生装置は、管理領域内で選択的に回復された最新のＳＲＲＩ＃５を（このときは、ＳＲＲＩ＃６（６０ｆ）として）記録するか、追加的に記録可能な領域にのみ記録を行う。ＳＲＲＩ＃６（６０ｆ）は、ＳＲＲ＃５を識別する「オープンＳＲＲの一覧」フィールド５２ｆ、及びＳＲＲ＃１−ＳＲＲ＃５にそれぞれ対応するＳＲＲエントリ３５ｑ−３５ｕを含む「ＳＲＲエントリの一覧」フィールド３０ｆを含む。また、回復されたＳＲＲＩ＃５がＳＲＲＩ＃６として記録されなくても、データ記録が回復されたＮＷＡ情報から行われ、データ記録により復元されたＮＷＡに変更された記録状態が新たなＳＲＲＩ＃６として記録される。
【０１０４】
図１４は、本発明による光ディスク記録／再生装置を示している。この装置及びその他の適当な装置またはシステムを用いてこの明細書において論考された本発明のディスク及び／またはＳＲＲＩ構造及び方法を実現することができる。
【０１０５】
図１４を参照すると、光ディスク記録／再生装置は、光ディスクに／からデータを記録及び／または再生する記録／再生部１０及び記録／再生部１０を制御する制御部２０を含む。記録／再生装置の全ての構成要素は、動作可能に結合されている。制御部２０は、ディスク上のＳＲＲ／セッションなどの特定の記録領域に／から記録及び／または再生するためのコマンドを、記録／再生部１０に伝送する。記録／再生部１０は、制御部２０のコマンドに従ってディスクに／からデータを記録及び／または再生する。
【産業上の利用可能性】
【０１０６】
記録再生部１０は、インタフェース部１２、ピックアップ部１１、データプロセッサ１３、サーボ部１４、メモリ１５及びマイコン１６を含む。インタフェース部１２は、制御部２０などの外部装置と通信する。ピックアップ部１１は、光ディスクに直接的にデータを記録または再生する。データプロセッサ１３は、ピックアップ部１１から再生信号を受け取り、好適な信号を復元し、光ディスクに適した信号を変調し、その信号を送信する。サーボ部１４は、ピックアップ部１１を制御して光ディスクから信号を読み取ったり、光ディスクに信号を記録したりする。メモリ１５は、本明細書で述べた管理情報を含む各種のデータおよび情報を一時的に格納する。マイコン１６は、記録／再生部１０の構成要素を制御する。図１４に示す記録／再生装置は、パディング動作を選択的に行うことができるので、設計者は、記録／再生装置をより自由に設計することができる。記録／再生部１０は、パディング動作中に特定のデータを自動的に格納することができる。
【０１０７】
光ディスク上のデータを記録し再生する方法は、２種類に分類できる。第１は、図４Ａないし図１１Ｂの場合であって、オープンＳＲＲ上にデータを完全に記録し、ＬＲＡを含むクラスタ中の残りのセクターを強制的にパディングし、残りのセクターにパディングが行われたか否かを識別するか、あるいはＳＲＲをクローズするとき、クラスタをパディングしたか否かを判定し、パディングに従ってパディング識別情報を記録する情報を記録する方法を含む。
【０１０８】
第２は、図１２ないし図１３Ｂのパディング情報を用いて損傷を受けたＳＲＲＩを効果的に回復する方法である。ＳＲＲをクローズするとき、ＳＲＲをパディングすることは、オプションとして行われる。しかしながら、パディングがＳＲＲに対して行われ、ＳＲＲがクローズされると、このパディング情報を使用してデータを有利に復元することができる。
【０１０９】
本発明の一実施形態による光ディスクの第１の記録／再生方法を詳述する。ＢＤ−ＷＯなどの光ディスクが、図１２に示されたもののように、記録／再生装置にローディングされるとき、最新のＳＲＲＩをＴＤＭＡに記録された最新のディスク管理情報として読み取る。さらに、最新のＳＲＲＩに記録されたＳＲＲＩヘッダ及びＳＲＲエントリが読み取られ、記録／再生部１０のメモリ１５に一時的に格納される。
【０１１０】
格納されたＳＲＲＩは、最新のディスク記録状態を示す。オープンＳＲＲは、ＳＲＲＩヘッダ情報を通して識別することができる。ＳＲＲエントリを通じて、データは、ディスクの全領域に記録することができ、または未記録状態の存在及び位置並びにオープンセッションをチェックすることができる。また、ＳＲＲがパディングデータでパディングされたか否かを識別することができる。光ディスクが記録または再生されるとき、全てのこのような情報を用いることができる。
【０１１１】
そして、データ（例えば、ユーザデータ）が特定のオープンＳＲＲに記録される。データがオープンＳＲＲに完全に記録されるとき、ＬＲＡを含むクラスタ中の未記録セクターは、ダミーデータ（例えば、安定性及びロバストのために）でパディングされ、パディング識別情報Ｐａｄｄｉｎｇ＿ｆｌａｇが「１ｂ」に設定される。パディングセクターのそれぞれについて、各セクターに対応するＰａｄｄｉｎｇ＿ｆｌａｇが「１ｂ」に設定される。セクターがパディングされない場合は、対応するＰａｄｄｉｎｇ＿ｆｌａｇが「０ｂ」に設定される。また、ＳＲＲＩのＳＲＲエントリが更新されるときは、ＳＲＲ状態情報Ｐ＿ｆｌａｇを「１ｂ」が設定されて、対応するＳＲＲの少なくとも一部がパディングされていることを示す。
【０１１２】
加えて、ＳＲＲが制御部２０のクローズコマンドによりクローズされる場合であっても、マイコン１６は、記録可能な領域（例えば、１つのクラスタ）がパディング後またはパディングなしでクローズされるかを選択することができる。上記の場合、設計者は、制御部２０からのパディングコマンドなしで記録再生部１０がＳＲＲをパディングデータで自動的にパディングし、ＳＲＲを無条件にクローズするように設計することができる。上記機能は、記録再生部１０により「自動パディング機能」と呼ばれる。自動パディング機能は、記録再生部１０が、パディングコマンドによりダミーデータを受信し、その後にＳＲＲをパディングする場合に比べて、パディングの動作時間を短縮できるという利点がある。
【０１１３】
また、ＳＲＲ状態が上述したようなＳＲＲ状態がパディングにより変更される場合、各パディングセクターに従ってＰａｄｄｉｎｇ＿ｆｌａｇが１ｂに設定される。さらに、Ｐ＿ｆｌａｇが対応するＳＲＲエントリにおいて１ｂに設定される。様々な記録／再生装置がそのような情報を用いることができる。
【０１１４】
このため、本発明により定義されるＳＲＲのタイプ及び定義と、定義されたＳＲＲタイプ及び定義に従ってＳＲＲＩを記録する方法が提供される。したがって、所望の機能を有する種々の記録／再生装置を用いて本ディスクにアクセスすることができる。
【０１１５】
さらに、光ディスクを復元することにより、データを記録し再生する第２の方法について説明する。光ディスクが記録／再生装置にローディングされるとき、マイコン１６は、ピックアップ部１１を制御して対応するディスクのＴＤＭＡなどの設定管理領域に記録された最新のＳＲＲＩを読み取る。マイコン１６は、最新のＳＲＲＩが損傷を受けたか否かを判定する。最新のＳＲＲＩが損傷を受けたと判定されると、最新のＳＲＲＩは、図１２、図１３Ａ及び図１３Ｂを参照して上述したように、非損傷ＳＲＲＩから推定され復元される。オープンＳＲＲがクローズコマンドによりクローズＳＲＲに変更されるとき、ディスクにパディングされるダミーデータをチェックして、最新のＳＲＲＩを上述したように回復することができる。
【０１１６】
回復された最新のＳＲＲＩまたはオリジナルの最新のＳＲＲＩが損傷を受けていない場合には、記録再生部１０は、対応するする最新のＳＲＲＩに基づいて追加的に記録可能なオープンＳＲＲの位置をチェックし、データを記録し、制御部２０のクローズコマンドを受信し、オープンＳＲＲに残っている追加的に記録可能な領域の一部（または全領域）をダミーデータでパディングし、ＳＲＲがクローズＳＲＲに変更されたことを示す。変更されたディスクの記録状態は、管理領域の新たな（最新）ＳＲＲＩとして記録される。その後、対応する光ディスクが再びローディングされると、最新のＳＲＲＩから最終ディスク記録状態を正確にチェックすることができる。
【０１１７】
本発明による追記型光ディスクの管理情報を記録するための方法は、新たなＳＲＲタイプ及びセッションタイプを定義することを含む。オープンＳＲＲがパディングされるか、またはＳＲＲがパディングによりクローズされると、パディング識別情報Ｐａｄｄｉｎｇ＿ｆｌａｇは、適切に設定され、パディング領域に記録される。その他のパディング識別情報Ｐ＿ｆｌａｇは、ＳＲＲエントリに記録される。その結果、新たな物理的な構造を有する追記型光ディスクにおいて、管理情報が、効率的に記録され、管理され得る。ＳＲＲがパディング後にクローズされるとき、パディング情報を用いて損傷を受けたＳＲＲＩを復元することができる。
【０１１８】
本技術分野における当業者には、本発明において種々の変形及び修正がなし得ることが明らかであろう。よって、本発明は、添付の特許請求の範囲及びその均等物の範囲内に入る提供された変形及び修正を網羅することが意図されている。
【図面の簡単な説明】
【０１１９】
【図１】本発明による追記型光ディスクの全体構造及び追記型光ディスク上に管理情報を記録するための方法を示す図である。
【図２Ａ】本発明による追記型光ディスクの異なるタイプのオープンＳＲＲを示す図である。
【図２Ｂ】本発明による追記型光ディスクの異なるタイプのオープンＳＲＲを示す図である。
【図２Ｃ】本発明による追記型光ディスクの異なるタイプのオープンＳＲＲを示す図である。
【図２Ｄ】本発明による追記型光ディスクの異なるタイプのオープンＳＲＲを示す図である。
【図３Ａ】本発明による追記型光ディスクの異なるタイプのクローズＳＲＲを示す図である。
【図３Ｂ】本発明による追記型光ディスクの異なるタイプのクローズＳＲＲを示す図である。
【図３Ｃ】本発明による追記型光ディスクの異なるタイプのクローズＳＲＲを示す図である。
【図３Ｄ】本発明による追記型光ディスクの異なるタイプのクローズＳＲＲを示す図である。
【図３Ｅ】本発明による追記型光ディスクの異なるタイプのクローズＳＲＲを示す図である。
【図４Ａ】本発明による追記型光ディスクのクローズＳＲＲにダミーデータをパディングするときのパディング識別情報の一例を示す図である。
【図４Ｂ】本発明による追記型光ディスクのオープンＳＲＲにダミーデータをパディングするときのパディング識別情報の一例を示す図である。
【図５】本発明による追記型光ディスクの全体構造及びディスク管理情報としてＳＲＲＩを記録するための方法を示す図である。
【図６Ａ】本発明によるＳＲＲＩに記録されたＳＲＲエントリ一覧の構造を示す図である。
【図６Ｂ】本発明による図６ＡのＳＲＲエントリ一覧に記録されたＳＲＲエントリの一例を示す図である。
【図６Ｃ】本発明によるＳＲＲＩのオープンＳＲＲフィールドの一覧の構造の一例を示す図である。
【図７Ａ】本発明による追記型光ディスク中のディスク記録状態に従ってＳＲＲＩを記録するプロセスを示す図である。
【図７Ｂ】本発明による追記型光ディスク中のディスク記録状態に従ってＳＲＲＩを記録するプロセスを示す図である。
【図７Ｃ】本発明による追記型光ディスク中のディスク記録状態に従ってＳＲＲＩを記録するプロセスを示す図である。
【図８Ａ】本発明による追記型光ディスク中のディスク記録状態に従ってＳＲＲＩを記録するプロセスを示す図である。
【図８Ｂ】本発明による追記型光ディスク中のディスク記録状態に従ってＳＲＲＩを記録するプロセスを示す図である。
【図９Ａ】本発明による追記型光ディスク中のディスク記録状態に従ってＳＲＲＩを記録するプロセスを示す図である。
【図９Ｂ】本発明による追記型光ディスク中のディスク記録状態に従ってＳＲＲＩを記録するプロセスを示す図である。
【図１０Ａ】本発明による追記型光ディスク中のディスク記録状態に従ってＳＲＲＩを記録するプロセスを示す図である。
【図１０Ｂ】本発明による追記型光ディスク中のディスク記録状態に従ってＳＲＲＩを記録するプロセスを示す図である。
【図１１Ａ】本発明による追記型光ディスク中のディスク記録状態に従ってＳＲＲＩを記録するプロセスを示す図である。
【図１１Ｂ】本発明による追記型光ディスク中のディスク記録状態に従ってＳＲＲＩを記録するプロセスを示す図である。
【図１２】本発明の一実施形態による最新ＳＲＲＩが損傷を受けたとき、追記型光ディスクのＳＲＲＩを用いる方法を示すフローチャートである。
【図１３Ａ】本発明の一実施形態による追記型光ディスク中に最新ＳＲＲＩを復元する方法を示す図である。
【図１３Ｂ】本発明の一実施形態による追記型光ディスク中に最新ＳＲＲＩを復元する方法を示す図である。
【図１４】本発明の一実施形態による追記型光ディスクのための記録／再生装置を示す図である。
【図１】
2007505432.tif 000003
【図２Ａ】
2007505432.tif 000004
【図２Ｂ】
2007505432.tif 000005
【図２Ｃ】
2007505432.tif 000006
【図２Ｄ】
2007505432.tif 000007
【図３Ａ】
2007505432.tif 000008
【図３Ｂ】
2007505432.tif 000009
【図３Ｃ】
2007505432.tif 000010
【図３Ｄ】
2007505432.tif 000011
【図３Ｅ】
2007505432.tif 000012
【図４Ａ】
2007505432.tif 000013
【図４Ｂ】
2007505432.tif 000014
【図５】
2007505432.tif 000015
【図６Ａ】
2007505432.tif 000016
【図６Ｂ】
2007505432.tif 000017
【図６Ｃ】
2007505432.tif 000018
【図７Ａ】
2007505432.tif 000019
【図７Ｂ】
2007505432.tif 000020
【図７Ｃ】
2007505432.tif 000021
【図８Ａ】
2007505432.tif 000022
【図８Ｂ】
2007505432.tif 000023
【図９Ａ】
2007505432.tif 000024
【図９Ｂ】
2007505432.tif 000025
【図１０Ａ】
2007505432.tif 000026
【図１０Ｂ】
2007505432.tif 000027
【図１１Ａ】
2007505432.tif 000028
【図１１Ｂ】
2007505432.tif 000029
【図１２】
2007505432.tif 000030
【図１３Ａ】
2007505432.tif 000031
【図１３Ｂ】
2007505432.tif 000032
【図１４】
2007505432.tif 000033
【国際調査報告】
2007505432.tif 000034
2007505432.tif 000035